(57)【要約】      （修正有）【課題】端末装置を利用してテストなどを行う際に、関連情報を表示して解答の記入を支援することが可能な記入支援装置を提供する。【解決手段】記入支援装置は、表示部３６に記入欄１２を表示し、さらに記入欄１２に記入された記入内容を取得して記入欄１２に表示する。記憶部には、所定のキーワードと、当該キーワードに関連する関連情報（グラフ１５ａ，１５ｂ）とを対応付けて記憶されている。そして、記入支援装置は、記入内容に含まれるキーワードを抽出し、当該キーワードに対応する関連情報（グラフ１５ａ，１５ｂ）を記憶部から取得して表示部３６に表示する。【選択図】図４
2020012946.tif 000002
【特許請求の範囲】
【請求項１】
表示部に記入欄を表示する記入欄表示手段と、
前記記入欄に記入された記入内容を取得する記入内容取得手段と、
取得された記入内容を前記記入欄に表示する記入内容表示手段と、
所定のキーワードと、当該キーワードに関連する関連情報とを対応付けて記憶する記憶部と、
前記記入内容に含まれるキーワードを抽出し、当該キーワードに対応する関連情報を前記記憶部から取得して前記表示部に表示する関連情報表示手段と、
を備える記入支援装置。
【請求項２】
前記関連情報表示手段は、前記記入欄が表示されている状態で前記関連情報を表示する請求項１に記載の記入支援装置。
【請求項３】
前記関連情報表示手段は、前記関連情報をポップアップ表示する請求項２に記載の記入支援装置。
【請求項４】
前記関連情報は、前記キーワードに関連する図表情報である請求項１乃至３のいずれか一項に記載の記入支援装置。
【請求項５】
前記記入内容は設問に対する解答であり、
前記関連情報は、設問毎に前記記憶部に記憶されている請求項１乃至４のいずれか一項に記載の記入支援装置。
【請求項６】
前記記入内容取得手段は、前記記入欄に記入されたストロークデータをテキストデータに変換することにより前記記入内容を取得する請求項１乃至５のいずれか一項に記載の記入支援装置。
【請求項７】
コンピュータ及び表示部を備える記入支援装置により実行されるプログラムであって、
前記表示部に記入欄を表示する記入欄表示手段、
前記記入欄に記入された記入内容を取得する記入内容取得手段、
取得された記入内容を前記記入欄に表示する記入内容表示手段と、
所定のキーワードと、当該キーワードに関連する関連情報とを対応付けて記憶する記憶部、
前記記入内容に含まれるキーワードを抽出し、当該キーワードに対応する関連情報を前記記憶部から取得して前記表示部に表示する関連情報表示手段、
として前記コンピュータを機能させるプログラム。
【発明の詳細な説明】
【技術分野】
【０００１】
本発明は、端末装置を利用してテストなどを行う際に解答の記入を支援する手法に関する。
【背景技術】
【０００２】
近年、教育現場におけるテストや演習においてタブレット端末を利用することが増えている。例えば、タブレット端末を利用した教育支援システムの一例が特許文献１に記載されている。
【先行技術文献】
【特許文献】
【０００３】
【特許文献１】特開２０１６−６５９８７号公報
【発明の概要】
【発明が解決しようとする課題】
【０００４】
記述式の問題に対する解答を記入する際、各種のキーワードを用いて記述を行うことがある。このとき、それらのキーワードに関連する統計情報などの関連情報を参照しながら記述を進めることができれば、記述内容を充実させることができて便宜である。
【０００５】
本発明は、端末装置を利用してテストなどを行う際に、関連情報を表示して解答の記入を支援することが可能な記入支援装置を提供することを主な目的とする。
【課題を解決するための手段】
【０００６】
本発明の１つの観点では、記入支援装置は、表示部に記入欄を表示する記入欄表示手段と、前記記入欄に記入された記入内容を取得する記入内容取得手段と、取得された記入内容を前記記入欄に表示する記入内容表示手段と、所定のキーワードと、当該キーワードに関連する関連情報とを対応付けて記憶する記憶部と、前記記入内容に含まれるキーワードを抽出し、当該キーワードに対応する関連情報を前記記憶部から取得して前記表示部に表示する関連情報表示手段と、を備える。
【０００７】
上記の記入支援装置は、表示部に記入欄を表示し、さらに記入欄に記入された記入内容を取得して記入欄に表示する。記憶部には、所定のキーワードと、当該キーワードに関連する関連情報とが対応付けて記憶されている。そして、記入支援装置は、記入内容に含まれるキーワードを抽出し、当該キーワードに対応する関連情報を記憶部から取得して表示部に表示する。これにより、生徒などの解答者がキーワードを記入すると関連情報が表示されるので、解答者は関連情報を参照して詳細な記述を行うことができる。
【０００８】
上記の記入支援装置の一態様では、前記関連情報表示手段は、前記記入欄が表示されている状態で前記関連情報を表示する。これにより、解答者は関連情報を見ながら記入欄に記入を行うことができる。好適な例では、前記関連情報表示手段は、前記関連情報をポップアップ表示する。他の好適な例では、前記関連情報は、前記キーワードに関連する図表情報である。
【０００９】
上記の記入支援装置の他の一態様では、前記記入内容は設問に対する解答であり、前記関連情報は、設問毎に前記記憶部に記憶されている。この態様では、設問毎に予め用意された関連情報が表示される。
【００１０】
上記の記入支援装置の他の一態様では、前記記入内容取得手段は、前記記入欄に記入されたストロークデータをテキストデータに変換することにより前記記入内容を取得する。
【００１１】
本発明の他の観点では、コンピュータ及び表示部を備える記入支援装置により実行されるプログラムは、前記表示部に記入欄を表示する記入欄表示手段、前記記入欄に記入された記入内容を取得する記入内容取得手段、取得された記入内容を前記記入欄に表示する記入内容表示手段、所定のキーワードと、当該キーワードに関連する関連情報とを対応付けて記憶する記憶部、前記記入内容に含まれるキーワードを抽出し、当該キーワードに対応する関連情報を前記記憶部から取得して前記表示部に表示する関連情報表示手段、として前記コンピュータを機能させる。このプログラムをコンピュータで実行することにより、上記の記入支援装置を実現することができる。
【図面の簡単な説明】
【００１２】
【図１】記入支援装置の実施形態に係るタブレットＰＣを示す。
【図２】タブレットＰＣの構成を示すブロック図である。
【図３】関連情報の例を示す。
【図４】実施形態の記入支援方法による関連情報の表示例を示す。
【図５】記入支援処理のフローチャートである。
【発明を実施するための形態】
【００１３】
以下、図面を参照しながら、本発明の実施の形態について説明する。
［記入支援装置］
図１は、本発明の記入支援装置の実施形態に係るタブレットＰＣを示す。タブレットＰＣ３０は、学校その他の教育現場におけるテストや演習などに利用される。タブレットＰＣ３０は、タブレットタイプのコンピュータ装置であり、タッチパネル式の表示部３６を備える。タブレットＰＣ３０には、設問が解答フォームとして表示される。具体的には、図１に示すように、問題文１１と記入欄１２とが表示される。生徒は、タッチペン５を用いて各設問の記入欄１２に解答を入力する。記入欄１２は、複数のマス目を含み、基本的に１つのマス目に１文字が記入される。なお、図１の例では、説明の便宜上、１つの設問１１及び記入欄１２が示されているが、テストは複数の設問を有し、次の設問は、解答者がタブレットＰＣ３０に対して下方へのスクロール指示を入力することにより表示されるものとする。
【００１４】
図２はタブレットＰＣ３０の構成を示すブロック図である。図示のように、タブレットＰＣ３０は、タッチセンサ３１、制御部３２、記憶部３３、テスト情報データベース（以下、「データベース」を「ＤＢ」と略す。）３４、関連情報ＤＢ３５、表示部３６、及び、通信部３７を備える。これらの構成要素は、バス３９により相互に接続されている。
【００１５】
タッチセンサ３１は、表示部３６上に設けられており、解答者のタッチペン５による記入やタッチ操作を検出する。タッチセンサ３１が記入欄１２内への記入を検出することにより、解答者が記入した解答が電子データとして取得される。
【００１６】
制御部３２は、ＣＰＵなどのコンピュータにより構成され、タブレットＰＣ３０の各構成要素を制御する。記憶部３３は、ＲＡＭ、ＲＯＭなどのメモリにより構成される。記憶部３３には、制御部３２により実行される様々な処理のプログラムが記憶される。制御部３２は、それらのプログラムを実行することにより、タブレットＰＣ３０全体を制御する。
【００１７】
具体的に、制御部３２は、タッチペン５により記入欄１２の各マス目に記入された記入データ（ストロークデータ）を抽出してテキストデータに変換し、文字認識処理（ＯＣＲ処理）を行うことにより記入内容として文字列を取得する。また、制御部３２は、記入内容としての文字列から、予め決められたキーワードを抽出する。
【００１８】
記憶部３３は、制御部３２が様々な処理を実行する際の作業メモリとして機能する。例えば、タッチセンサ３１が取得した解答の電子データは、一時的に記憶部３３に保存される。
【００１９】
テスト情報ＤＢ３４は、図１に示すようにタブレットＰＣ３０に表示される各設問の情報、各設問についての正答情報などを記憶する。本実施形態では設問が記述式であるので、正答情報は、複数のキーワードを含む。制御部３２は、記入欄１２に記入されたストロークから文字認識処理により記入内容を抽出し、テスト情報ＤＢ３４に記憶されているキーワードなどと比較することにより、自動採点を行うことができる。また、テスト情報ＤＢ３４には、過去のテストにおいて解答者が入力した解答や過去のテスト結果などを記憶することもできる。
【００２０】
関連情報ＤＢ３５は、設問毎に予め決められたキーワードと、当該キーワードに関連する情報（以下、「関連情報」と呼ぶ）とを対応付けて記憶する。図３は、関連情報の例を示す。この例では、テストの設問が「○○市について説明しなさい。」などのように、都道府県や市区町村（以下、「自治体」と呼ぶ。）についての説明を記述させるものであるとする。この場合、関連情報ＤＢ３５は、設問において記述の対象となる自治体ごとに、関連情報を記憶する。図３の例では、自治体の例として、「Ａ市」、「Ｂ市」などがあり、それぞれについて、「キーワード」及び「関連情報」が記憶される。
【００２１】
「キーワード」は、自治体の説明によく使用される語句であり、例えば「人口」、「生産高」、「特産物」、「観光地」などが挙げられる。そして、キーワード毎に、関連情報が記憶される。
【００２２】
「関連情報」は、各キーワードに関連する情報であり、典型的には各キーワードに対応する統計情報などを含む。また、好適には、関連情報は、キーワードに関連する統計情報をグラフなどで示した図表の情報である。なお、図３の例においては、関連情報はそのデータファイル名で示されている。
【００２３】
表示部３６は、タブレットＰＣ３０の前面に設けられる液晶パネルなどであり、図１に示すように、各設問について記入欄１２を表示する。通信部３７は、外部のサーバや端末装置と通信する。例えば、クラスの各生徒がタブレットＰＣ３０を利用してテストや演習を行う場合に、通信部３７を利用して各生徒の解答データをタブレットＰＣ３０からサーバへ送信し、サーバで採点したり集計したりすることができる。
【００２４】
上記の構成において、制御部３２及び表示部３６は本発明の記入欄表示手段、記入内容表示手段及び関連情報表示手段の一例であり、タッチセンサ３１及び制御部３２は本発明の記入内容取得手段の一例であり、関連情報ＤＢ３５は本発明の記憶部の一例である。
【００２５】
［記入支援方法］
以下、本実施形態の記入支援方法について説明する。本実施形態では、記入欄１２に対して生徒が解答を記入する際に、記入欄１２に所定のキーワードが記入された場合、そのキーワードについての関連情報が表示部３６に表示される点に特徴を有する。
【００２６】
図４は、実施形態の記入支援方法による関連情報の表示例を示す。この例では、「Ａ市について説明しなさい。」との設問１１がタブレット３０の表示部３６に表示され、生徒は記入欄１２に解答を記入する。生徒が記入欄１２に解答を記入すると、タブレットＰＣ３０の制御部３２は生徒による記入内容を取得し、その中に所定のキーワードが含まれるか否かを判定する。本例では、「Ａ市」について記述させる設問であるので、制御部３２は、関連情報ＤＢ３５を参照し、生徒による記入内容から、図３に示すように「Ａ市」について予め記憶されているキーワードを抽出する。そして、キーワードを抽出すると、制御部３２は、そのキーワードに対応付けられている関連情報を取得し、表示部３６に表示する。
【００２７】
図４の例では、生徒が記入欄１２に記入した記入内容には、図３に示すように、「Ａ市」について予め決められたキーワード「人口」及び「生産高」が含まれる。制御部３２は、生徒が「人口」と記入したときに、キーワード「人口」に対応する関連情報「Ｄａｔａ−Ａ−ｐｏｐｕｌａｔｉｏｎ」を取得し、表示部３６に表示する。ここで、関連情報「Ｄａｔａ−Ａ−ｐｏｐｕｌａｔｉｏｎ」はＡ市の人口推移を示すグラフであり、図４に示すようにＡ市の人口推移を示すグラフ１５ａが表示部３６にポップアップ表示される。
【００２８】
同様に、制御部３２は、生徒が「生産高」と記入したときに、キーワード「生産高」に対応する関連情報「Ｄａｔａ−Ａ−ｐｒｏｄｕｃｔ」を取得し、表示部３６に表示する。ここで、関連情報「Ｄａｔａ−Ａ−ｐｒｏｄｕｃｔ」はＡ市の生産高を示すグラフであり、図４に示すようにＡ市の生産高を示すグラフ１５ｂが表示部３６にポップアップ表示される。
【００２９】
関連情報は、タブレット３０の表示部３６において、記入欄１２と同時に表示される。即ち、関連情報は、記入欄１２が表示された状態で表示される。これにより、生徒は、関連情報を参照しながら、記入欄１２に記入を続けることができる。なお、生徒は、必要に応じて、タッチペン５によるドラッグ操作などにより、表示部３６に表示された関連情報（グラフ１５ａ、１５ｂ）を、記入欄１２への記入の妨げとならない位置に移動させることができる。また、表示部３６に表示された関連情報（グラフ１５ａ、１５ｂ）は、必要に応じて、タッチペン５による操作により、拡大／縮小したり、表示／非表示を切り替えたりできることが好ましい。
【００３０】
図５は、実施形態による記入支援処理のフローチャートである。この処理は、タブレットＰＣ３０の制御部３２が予め用意されたプログラムを実行することにより実現される。まず、制御部３２は、タッチセンサ３１からの出力に基づいてタッチペン５により記入されたストロークを検出する（ステップＳ１０）。次に、制御部３２は、検出された複数のストロークに基づいて文字認識処理を行い、記入された文字を抽出し、記入欄１２に表示する（ステップＳ１１）。
【００３１】
次に、制御部３２は、記入内容として得られた文字列にキーワードが含まれているか否かを判定する（ステップＳ１２）。記入内容にキーワードが含まれてない場合（ステップＳ１３：Ｎｏ）、処理はステップＳ１０へ戻る。一方、記入内容にキーワードが含まれている場合（ステップＳ１３：Ｙｅｓ）、制御部３２は関連情報ＤＢ３５を参照して、そのキーワードに対応する関連情報を取得し、表示部３６に表示する（ステップＳ１４）。これにより、図４の表示例における関連情報（グラフ１５ａ、１５ｂ）が表示されることになる。
【００３２】
次に、制御部３２は、生徒による記入が終了したか否かを判定する（ステップＳ１５）。この判定は、例えばタブレットＰＣ３０に表示された「終了ボタン」を生徒が押したことを検出することにより行うことができる。生徒による記入が終了していない場合（ステップＳ１５：Ｎｏ）、処理はステップＳ１０へ戻る。一方、生徒による記入が終了した場合（ステップＳ１５：Ｙｅｓ）、記入支援処理は終了する。
【００３３】
以上のように、本実施形態によれば、生徒が記入欄１２に記入した記入内容に、所定のキーワードが含まれる場合には、そのキーワードに関連する関連情報が表示部３６に表示される。よって、生徒は、そのキーワードに関連する統計情報などをグラフなどの形態で見ながら、詳細な記述を行うことができる。
【符号の説明】
【００３４】
５  タッチペン
１１  問題文
１２  記入欄
１５ａ、１５ｂ  関連情報（グラフ）
３０  タブレットＰＣ
３２  制御部
３５  関連情報データベース
【図１】
2020012946.tif 000003
【図２】
2020012946.tif 000004
【図３】
2020012946.tif 000005
【図４】
2020012946.tif 000006
【図５】
2020012946.tif 000007